(57)【要約】【課題】通信システムの報知情報の１つであるフレーム番号（ＳＦＮ）情報を効率的に通知／取得すると共に、情報通知／取得のための物理的リソースを効率的に利用する。【解決手段】フレームを一つ以上に分割したサブフレームを用いてダウンリンクデータを通信端末装置に送信する無線制御装置であって、通信端末装置がセルサーチの際に使用する同期チャネル信号を生成する同期チャネル信号生成部１２１２と、複数フレーム区間に設定される時間区間制御情報を通信端末装置に通知する符号系列を生成する信号生成部１２３０と、生成した符号系列を同期チャネルと同じ無線リソースに割り当てる符号割当部１２１４と、を備える。【選択図】図８
2009005060.tif 000002
【特許請求の範囲】
【請求項１】
フレームを一つ以上に分割したサブフレームを用いて無線制御装置からダウンリンクデータを通信端末装置に送信する移動通信システムであって、
前記無線制御装置は、複数フレーム区間に設定される時間区間制御情報を前記通信端末装置に通知する符号系列を生成し、前記生成した符号系列を前記通信端末装置がセルサーチの際に使用する同期チャネルと同じ無線リソースに割り当て、
前記通信端末装置は、前記同期チャネルと同じ無線リソースに割り当てられた符号系列を検出し、前記符号系列の割当の有無によって、前記時間区間制御情報を取得することを特徴とする移動通信システム。
【請求項２】
前記無線制御装置は、前記生成した符号系列と前記同期チャネルとを多重することを特徴とする請求項１記載の移動通信システム。
【請求項３】
前記無線制御装置は、前記生成した符号系列を時間区間の特定フレームに多重することを特徴とする請求項２記載の移動通信システム。
【請求項４】
前記無線制御装置は、前記生成した符号系列とセルサーチ実行時においてシンボルタイミング検出に使用されるチャネルとを多重することを特徴とする請求項２または請求項３記載の移動通信システム。
【請求項５】
前記無線制御装置は、前記生成した符号系列とセルサーチ実行時において基地局情報取得に使用されるチャネルとを多重することを特徴とする請求項２または請求項３記載の移動通信システム。
【請求項６】
前記時間区間制御情報は、システムフレーム番号であることを特徴とする請求項１から請求項５のいずれかに記載の移動通信システム。
【請求項７】
フレームを一つ以上に分割したサブフレームを用いてダウンリンクデータを通信端末装置に送信する無線制御装置であって、
前記通信端末装置がセルサーチの際に使用する同期チャネル信号を生成する同期チャネル信号生成部と、
複数フレーム区間に設定される時間区間制御情報を前記通信端末装置に通知する符号系列を生成する信号生成部と、
前記生成した符号系列を前記同期チャネルと同じ無線リソースに割り当てる符号割当部と、を備えることを特徴とする無線制御装置。
【請求項８】
前記符号割当部は、前記生成した符号系列と前記同期チャネルとを多重することを特徴とする請求項７記載の無線制御装置。
【請求項９】
前記符号割当部は、前記生成した符号系列を時間区間の特定フレームに多重することを特徴とする請求項８記載の無線制御装置。
【請求項１０】
前記符号割当部は、前記生成した符号系列とセルサーチ実行時においてシンボルタイミング検出に使用されるチャネルとを多重することを特徴とする請求項８または請求項９記載の無線制御装置。
【請求項１１】
前記符号割当部は、前記生成した符号系列とセルサーチ実行時において基地局情報取得に使用されるチャネルとを多重することを特徴とする請求項８または請求項９記載の無線制御装置。
【請求項１２】
前記時間区間制御情報は、システムフレーム番号であることを特徴とする請求項７から請求項１１のいずれかに記載の無線制御装置。
【請求項１３】
フレームを一つ以上に分割したサブフレームを用いて無線制御装置からダウンリンクデータを受信する通信端末装置であって、
前記無線制御装置からダウンリンクデータを受信する受信部と、
前記ダウンリンクデータにおいて、セルサーチの際に使用する同期チャネルと同じ無線リソースに割り当てられた符号系列を検出し、前記符号系列の割当の有無によって、前記時間区間制御情報を取得する信号処理部と、を備えることを特徴とする通信端末装置。
【請求項１４】
前記時間区間制御情報は、システムフレーム番号であることを特徴とする請求項１３記載の通信端末装置。
【発明の詳細な説明】
【技術分野】
【０００１】
本発明は、下り方向（ダウンリンク）無線通信方式にＯＦＤＭＡ通信方式を採用したＬＴＥ（Ｌｏｎｇ  Ｔｅｒｍ  Ｅｖｏｌｕｔｉｏｎ)規格の移動体通信に関し、特に、ダウンリンク信号によりＳＦＮ（Ｓｙｓｔｅｍ  Ｆｒａｍｅ  Ｎｕｍｂｅｒ）を通知する移動通信システム、無線制御装置および通信端末装置に関する。
【背景技術】
【０００２】
近年、Ｗ−ＣＤＭＡ方式をはじめとする第３世代移動体通信（３Ｇ）が世界的に普及して来ている。さらに、現在、第三世代移動体通信規格を検討する組織である３ＧＰＰ（３ｒｄ  Ｇｅｎｅｒａｔｉｏｎ  Ｐａｒｔｎｅｒｓｈｉｐ  Ｐｒｏｊｅｃｔ）ではダウンリンクにおいてＯＦＤＭＡ通信方式を採用したより高速な通信速度を実現する次世代移動体通信方式が検討されている。以降、本明細書ではこの次世代通信規格をＬＴＥと呼ぶ。
【０００３】
ＬＴＥの移動体通信システムでは、移動局（通信端末装置）は、初期同期確立（初期セルサーチ）のために、あるいは、ハンドオーバーのために、自機（移動局）が接続しようとするセルおよびセクタを同定する必要がある。ＬＴＥでは、高速なセルサーチのために、いわゆる３段階セルサーチ方法が採用されている。
【０００４】
ＬＴＥにおける３段階セルサーチは、一般に、物理チャネルとして同期チャネル（ＳＣＨ：Ｓｙｎｃｈｒｏｎｉｚａｔｉｏｎ  Ｃｈａｎｎｅｌ）とリファレンス信号（ＲＳ：Ｒｅｆｅｒｅｎｃｅ  Ｓｉｇｎａｌ）とが使用される。ＳＣＨはＰ−ＳＣＨ（Ｐｒｉｍａｒｙ  ＳＣＨ）とＳ−ＳＣＨ（Ｓｅｃｏｎｄａｒｙ  ＳＣＨ）の２つのチャネルによって構成される。まず、Ｐ−ＳＣＨによってシンボルタイミングを検出し（第１段階）、次に、Ｓ−ＳＣＨコードの相関検出によっていくつかのセル番号をグループ分けしたセルＩＤグループの同定とＰ−ＳＣＨの符号からセクタＩＤを判定することによりセルＩＤの同定を実施する（第２段階）。
【０００５】
次に、ＲＳを用いた相関検出によって、セル固有であるＲＳの符号の検出を行なうことによってセルＩＤの確認を行なう（第３段階）。詳細に関しては現在も検討中であるが、暫定的にはセルＩＤグループとして１７０種類、セクタＩＤを３種類としている。よって、セルＩＤグループとセクタＩＤとの組み合わせで生成されるセルＩＤは５１０種類になる。
【０００６】
さらに、基地局（無線制御装置）との同期確立を終えた移動局は、その後、移動局からの制御情報を受信する。この制御情報は報知情報とも呼ばれている。報知情報で通知される情報の１つにシステムフレーム番号（ＳＦＮ：Ｓｙｓｔｅｍ  Ｆｒａｍｅ  Ｎｕｍｂｅｒ）がある。ＳＦＮとはフレームより長い周期の時間単位であり、ハンドオーバーの際の２つの基地局間のデータ受け渡しのタイミング制御などに使用される。ＬＴＥでは現在は明確なＳＦＮ周期は決定されていないが、同じ３ＧＰＰの規格であるＷ−ＣＤＭＡ方式（ＩＭＴ−ＤＳ、またはＵＴＲＡ  ＦＤＤとも呼ばれる）では４０９６フレームで１周期である。以降、このＳＦＮを含む基地局で設定された時間区間を示すための制御情報を時間区間制御情報と呼ぶ。
【０００７】
非特許文献１には、ＬＴＥの規格として検討されている下りリンクＯＦＤＭＡ通信方式を用いたＳＦＮの通知方法が記載されており、ＳＦＮはＬＴＥの物理チャネルの１つとして検討されているプライマリＢＣＨ（Ｐ−ＢＣＨ：Ｐｒｉｍａｒｙ  Ｂｒｏａｄｃａｓｔ  Ｃｈａｎｎｅｌ）によって移動局に通知される。
【非特許文献１】３ＧＰＰ寄書  “Ｒ２−０７０７６８”，  ”Ｃｏｍｂｉｎｉｎｇ  ｏｆ  Ｐ−ＢＣＨ“  ［平成１９年３月７日検索］，インターネット  （ｆｔｐ：／／ｆｔｐ.３ｇｐｐ．ｏｒｇ／ＴＳＧ＿ＲＡＮ／ＷＧ２＿ＲＬ２／ＴＳＧＲ２＿５７／Ｄｏｃｕｍｅｎｔｓ／Ｒ２−０７０７６８.ｚｉｐ）
【発明の開示】
【発明が解決しようとする課題】
【０００８】
上記のとおり、次世代移動体通信規格であるＬＴＥにおいては、ＳＣＨとＲＳを利用した３段階セルサーチを実施した後、接続しようとする基地局からの報知情報を取得する。
【０００９】
報知情報は、主にＢＣＨにより移動局に通知される。ＢＣＨにより通知される報知情報としてはＳＦＮの他にシステム帯域幅情報、送信アンテナ数情報、ＦＤＤ／ＴＤＤ識別情報のようなものが検討されている。ＢＣＨは移動局がセルサーチを行なうと同時に取得する情報を含むため、定期的（例えば４フレームに一度）に固定的なリソース配置で送信されるのが普通である。ただし、ＢＣＨの情報によっては一定間隔で取得する必要性が低いものもあるため、その場合にはＢＣＨをその必要性によりクラス分けし、動的に割り当てられるチャネルで送信する方法も検討されている。
【００１０】
一方、ＢＣＨ自身で多くの情報を移動局に通知しようとすると、ＢＣＨ全体の情報量が増加し、全下りリンク通信に占める報知情報の割合が高くなってしまうという問題がある。そのため、ＢＣＨで送信を行なう情報量をなるべく削減する必要がある。
【００１１】
本発明は、このような事情に鑑みてなされたものであり、通信システムの報知情報の１つであるフレーム番号（ＳＦＮ）情報を効率的に通知／取得すると共に、情報通知／取得のための物理的リソースを効率的に利用することができる移動通信システム、無線制御装置および通信端末装置を提供することを目的とする。
【課題を解決するための手段】
【００１２】
（１）上記の目的を達成するために、本発明は、以下のような手段を講じた。すなわち、本発明の移動通信システムは、フレームを一つ以上に分割したサブフレームを用いて無線制御装置からダウンリンクデータを通信端末装置に送信する移動通信システムであって、前記無線制御装置は、複数フレーム区間に設定される時間区間制御情報を前記通信端末装置に通知する符号系列を生成し、前記生成した符号系列を前記通信端末装置がセルサーチの際に使用する同期チャネルと同じ無線リソースに割り当て、前記通信端末装置は、前記同期チャネルと同じ無線リソースに割り当てられた符号系列を検出し、前記符号系列の割当の有無によって、前記時間区間制御情報を取得することを特徴としている。
【００１３】
このように、上記符号系列を通信端末装置がセルサーチの際に使用する同期チャネルと同じ無線リソースに割り当てることにより、複数フレーム区間に設定される時間区間制御情報を通信端末装置に通知することができる。これにより、ＯＦＤＭダウンリンク通信システムにおいて報知情報等で時間区間制御情報を通知する必要がなく、報知情報を通知するためのチャネルの負担が低減される。また、受信側（通信端末装置）では、セクタＩＤの同定とセルＩＤグループ情報を取得するための信号であるＳＣＨに基づいて、時間区間制御情報を容易に検出することが可能となる。
【００１４】
（２）また、本発明の移動通信システムにおいて、前記無線制御装置は、前記生成した符号系列と前記同期チャネルとを多重することを特徴としている。
【００１５】
この構成により、同期チャネルと共に符号系列を送信することができるので、ＯＦＤＭダウンリンク通信システムにおいて報知情報等で時間区間制御情報を通知する必要がなく、報知情報を通知するためのチャネルの負担が低減される。
【００１６】
（３）また、本発明の移動通信システムにおいて、前記無線制御装置は、前記生成した符号系列を時間区間の特定フレームに多重することを特徴としている。
【００１７】
この構成により、受信側（通信端末装置）で、特定フレームからセクタＩＤの同定とセルＩＤグループ情報を取得するための信号であるＳＣＨに基づいて、時間区間制御情報を容易に検出することが可能となる。
【００１８】
（４）また、本発明の移動通信システムにおいて、前記無線制御装置は、前記生成した符号系列とセルサーチ実行時においてシンボルタイミング検出に使用されるチャネルとを多重することを特徴としている。
【００１９】
この構成により、Ｐ−ＳＣＨと共に符号系列を送信することができるので、ＯＦＤＭダウンリンク通信システムにおいて報知情報等で時間区間制御情報を通知する必要がなく、報知情報を通知するためのチャネルの負担が低減される。
【００２０】
（５）また、本発明の移動通信システムにおいて、前記無線制御装置は、前記生成した符号系列とセルサーチ実行時において基地局情報取得に使用されるチャネルとを多重することを特徴としている。
【００２１】
この構成により、Ｓ−ＳＣＨと共に符号系列を送信することができるので、ＯＦＤＭダウンリンク通信システムにおいて報知情報等で時間区間制御情報を通知する必要がなく、報知情報を通知するためのチャネルの負担が低減される。
【００２２】
（６）また、本発明の移動通信システムにおいて、前記時間区間制御情報は、システムフレーム番号であることを特徴としている。
【００２３】
このように、時間区間制御情報がシステムフレーム番号であることから、システムフレーム番号を通知するために使用される物理リソースを削減することができる。その結果、システムフレーム番号の通知／取得のための物理リソースを効率的に利用することが可能となる。
【００２４】
（７）また、本発明の無線制御装置は、フレームを一つ以上に分割したサブフレームを用いてダウンリンクデータを通信端末装置に送信する無線制御装置であって、前記通信端末装置がセルサーチの際に使用する同期チャネル信号を生成する同期チャネル信号生成部と、複数フレーム区間に設定される時間区間制御情報を前記通信端末装置に通知する符号系列を生成する信号生成部と、前記生成した符号系列を前記同期チャネルと同じ無線リソースに割り当てる符号割当部と、を備えることを特徴としている。
【００２５】
このように、上記符号系列を通信端末装置がセルサーチの際に使用する同期チャネルと同じ無線リソースに割り当てることにより、複数フレーム区間に設定される時間区間制御情報を通信端末装置に通知することができる。これにより、ＯＦＤＭダウンリンク通信システムにおいて報知情報等で時間区間制御情報を通知する必要がなく、報知情報を通知するためのチャネルの負担が低減される。
【００２６】
（８）また、本発明の無線制御装置において、前記符号割当部は、前記生成した符号系列と前記同期チャネルとを多重することを特徴としている。
【００２７】
この構成により、同期チャネルと共に符号系列を送信することができるので、ＯＦＤＭダウンリンク通信システムにおいて報知情報等で時間区間制御情報を通知する必要がなく、報知情報を通知するためのチャネルの負担が低減される。
【００２８】
（９）また、本発明の無線制御装置において、前記符号割当部は、前記生成した符号系列を時間区間の特定フレームに多重することを特徴としている。
【００２９】
この構成により、受信側（通信端末装置）で、特定フレームからセクタＩＤの同定とセルＩＤグループ情報を取得するための信号であるＳＣＨに基づいて、時間区間制御情報を容易に検出することが可能となる。
【００３０】
（１０）また、本発明の無線制御装置において、前記符号割当部は、前記生成した符号系列とセルサーチ実行時においてシンボルタイミング検出に使用されるチャネルとを多重することを特徴としている。
【００３１】
この構成により、Ｐ−ＳＣＨと共に符号系列を送信することができるので、ＯＦＤＭダウンリンク通信システムにおいて報知情報等で時間区間制御情報を通知する必要がなく、報知情報を通知するためのチャネルの負担が低減される。
【００３２】
（１１）また、本発明の無線制御装置において、前記符号割当部は、前記生成した符号系列とセルサーチ実行時において基地局情報取得に使用されるチャネルとを多重することを特徴としている。
【００３３】
この構成により、Ｓ−ＳＣＨと共に符号系列を送信することができるので、ＯＦＤＭダウンリンク通信システムにおいて報知情報等で時間区間制御情報を通知する必要がなく、報知情報を通知するためのチャネルの負担が低減される。
【００３４】
（１２）また、本発明の無線制御装置において、前記時間区間制御情報は、システムフレーム番号であることを特徴としている。
【００３５】
このように、時間区間制御情報がシステムフレーム番号であることから、システムフレーム番号を通知するために使用される物理リソースを削減することができる。その結果、システムフレーム番号の通知／取得のための物理リソースを効率的に利用することが可能となる。
【００３６】
（１３）また、本発明の通信端末装置は、フレームを一つ以上に分割したサブフレームを用いて無線制御装置からダウンリンクデータを受信する通信端末装置であって、前記無線制御装置からダウンリンクデータを受信する受信部と、前記ダウンリンクデータにおいて、セルサーチの際に使用する同期チャネルと同じ無線リソースに割り当てられた符号系列を検出し、前記符号系列の割当の有無によって、前記時間区間制御情報を取得する信号処理部と、を備えることを特徴としている。
【００３７】
この構成により、セクタＩＤの同定とセルＩＤグループ情報を取得するための信号であるＳＣＨに基づいて、時間区間制御情報を容易に検出することが可能となる。
【００３８】
（１４）また、本発明の通信端末装置において、前記時間区間制御情報は、システムフレーム番号であることを特徴としている。
【００３９】
このように、時間区間制御情報がシステムフレーム番号であることから、システムフレーム番号を通知するために使用される物理リソースを削減することができる。その結果、システムフレーム番号の通知／取得のための物理リソースを効率的に利用することが可能となる。
【発明の効果】
【００４０】
本発明によれば、所定の符号系列を、通信端末装置がセルサーチの際に使用する同期チャネルと同じ無線リソースに割り当てることにより、複数フレーム区間に設定される時間区間制御情報を通信端末装置に通知することができる。これにより、ＯＦＤＭダウンリンク通信システムにおいて報知情報等で時間区間制御情報を通知する必要がなく、報知情報を通知するためのチャネルの負担が低減される。また、受信側（通信端末装置）では、セクタＩＤの同定とセルＩＤグループ情報を取得するための信号であるＳＣＨに基づいて、時間区間制御情報を容易に検出することが可能となる。
【発明を実施するための最良の形態】
【００４１】
本発明の実施形態を説明する前に、本発明で使用されるマルチキャリア通信に関する基本技術および基礎的概念について簡単に説明する。
【００４２】
（マルチキャリア通信の基本事項）
以下の説明では、下りリンク無線通信に使用するデジタル変調方式としてＯＦＤＭを使用する。また、本発明におけるＯＦＤＭ通信システムでは、１つのセルを３つの通信制御領域（セクタ）として制御する基地局が、セル内の中心付近に設置され複数の移動局と同時に通信を行なうことが考慮されている。ＯＦＤＭ通信システムでは、無線通信フレーム（以下、これをフレームと呼ぶ）を複数の移動局で使用できるように小さく分割し（以下、この分割単位をリソースブロックと呼ぶ）、それぞれのリソースブロックを通信環境が良好な移動局に割り当てることによって通信速度の向上を図っている。
【００４３】
（フレームの説明）
図１は、本発明で使用されるマルチキャリア通信システムのダウンリンクのフレーム構成を示す図である。フレーム構成は、図１に示したようにＯＦＤＭＡ通信方式で用いられる一般的なフレーム構成と同様である。すなわち、一定時間区間（フレーム区間）を複数に分割し、かつ、周波数領域も複数のサブキャリアから構成される一定の帯域幅に分割した構成を使用する。これらの分割された１つの領域を本明細書においてはリソースブロックと呼んでいる。一般的に時間領域のフレームを分割した単位をサブフレームと呼び、周波数領域での分割された単位を周波数リソースブロック（サブチャネル）と呼ぶこともある。
【００４４】
図１では、周波数軸方向にはＲＢ１からＲＢ６までの６つの周波数リソースブロックと時間軸方向にはＳＦ１からＳＦ１０の１０個のサブフレームで構成されている。ただし、ブロック分割数およびブロックサイズはこれに限定して適用されるものではなく、本明細書で示す実施の方法はリソースブロックの分割数に依存しない。また、各移動局はこれらのブロックを共有して使用し、特に通信特性（スループット）の向上を図るために各ブロックが伝搬路環境の良い移動局にスケジューリングされることになる。また、小さいデータ量の通信を行なっている複数の移動局がある場合には、１つのリソースブロックをさらに分割し共有して使用することも可能である。
【００４５】
（セルサーチ）
マルチセル環境における移動局は、基地局と通信を開始する際に、複数の基地局の中から受信特性の良好な、一般的には受信信号の受信電力が最も高い基地局を選択し、基地局と接続した後、無線通信を開始する。このような無線通信の開始時の動作を、一般的にセルサーチと呼ぶ。セルサーチには、通信特性の良好な基地局（すなわち受信電力が最大となる基地局）の選択、セルＩＤなどの情報を含む基地局情報の取得、フレーム同期ならびにシンボル同期などが含まれる。移動局はセルサーチ後に、基地局固有情報（報知情報）を取得し無線通信を開始する。
【００４６】
本明細書の説明では、セルサーチ後に報知情報を取得する手順を示しており、報知情報の取得とセルサーチを別々のステップとしているが、セルサーチの手順の１つとして報知情報の取得を扱う場合もある。また、ある基地局と通信を行なっていた移動局が移動したことによって通信品質が劣化した場合には、ハンドオーバーと呼ばれる基地局を切り替える動作を行なう。このハンドオーバーではセルサーチと同様に新しく接続をする基地局のセルＩＤ情報、フレームタイミング、およびシンボルタイミングなどの情報をセルサーチの場合と同様に取得する必要がある。さらには、報知情報に関しても同様にハンドオーバー時に取得するため、本発明の適用が可能である。
【００４７】
図２は、セルおよびセクタの構成の一例を示す図である。図示されるように、一つのセル（ＣＬ１〜ＣＬ３）の中心に基地局（ＢＳ１〜ＢＳ３）が設置され、各セル（ＣＬ１〜ＣＬ３）は、各々、３つのセクタ（ＳＣ１〜ＳＣ３）に分割されている。各セルには複数の移動局（ＵＥ１等、他は省略する）が存在しており、各移動局は受信品質の最も優れる基地局を選択し、無線通信を行なう。例えば、図２に示した基地局（ＢＳ１〜ＢＳ３）が同一の送信電力で下り方向無線通信を行なっているとすると、移動局ＵＥ１は最も伝搬損の少ないと考えられるＢＳ１と接続し、通信を行なう。このように複数の基地局を検出し、その中から最も通信品質が良好な基地局を選択し、接続するためにセルサーチを行なう必要がある。
【００４８】
（３段階セルサーチ方法とＳＦＮの取得）
以下、ＬＴＥの規格として検討されているセルサーチ方法を説明する。本実施形態では、セルサーチ方法として以下の方法を前提に説明を行なうが、セルサーチ方法はこれに限定されるものではなく、ここではセルＩＤを取得するための一例として示している。セルサーチ方法は、３段セルサーチ法と呼ばれる３段階に分けたセルサーチ方法が提案されている。第１段階では、Ｐ−ＳＣＨの時間相関検出を使用して、ＯＦＤＭシンボルタイミング、周波数オフセット、の検出を行なう。
【００４９】
図３は、フレームにおける同期チャネル（ＳＣＨ）の配置位置の一例を示す図である。図３（ａ）に示されるように、ＳＣＨは、第１サブフレーム（ＳＦ１）と第６サブフレーム（ＳＦ６）に配置される。また、図３（ｂ）に示したようにリソースブロック内での配置は前述したサブフレームの第７シンボルにＰ−ＳＣＨが、第６シンボルにＳ−ＳＣＨが配置されている。また、リファレンス信号（ＲＳ）は各サブフレームの第１、第５、第８、第１２シンボルに３サブキャリア毎に配置されている。本発明における実施形態は必ずしもこれらの配置に限定されないが、セルサーチを行なう移動局にフレーム内のＳＣＨ配置は既知である必要がある。また、ＲＳの配置に関しても既知であるか、もしくはＳＣＨの情報によって移動局に通知されることが望ましい。本発明は以上のフレーム構成とチャネル配置を前提として説明を行なう。
【００５０】
以上のようなチャネル配置において、セルサーチは前述のように第１段階でフレーム内の２つのＳＣＨの時間的位置を検出することによってフレーム区間の１／２の周期で同期を行なうことができる。同時に、Ｐ−ＳＣＨのシンボル位置が固定されているのでシンボル同期も行なうことができる。
【００５１】
第２段階では、第１段階で検出したＰ−ＳＣＨのシンボルタイミングでＰ−ＳＣＨの符号の検出が行なわれる。Ｐ−ＳＣＨの符号はセクタ固有に設定されており、これによってセクタ番号を検出することができる。例えば、図２に示したような３セクタのセルによって構成されるマルチセルであった場合、セクタ番号は１から３まで設定されることになる。同時に、Ｓ−ＳＣＨを構成するデータを復調し、基地局情報（例えば、セルＩＤグループ、フレームタイミングなど）を取得する。セルＩＤ情報はセクタ番号とセルＩＤグループの組み合わせによって決定される。よって、以上のような２段階でセルＩＤ情報が取得できる。
【００５２】
第３段階では、移動局が前段階で検出したセルＩＤグループと対応する基地局固有の符号とセクタ番号に対応する符号とが乗算されたリファレンス信号のレプリカ信号と実際に受信したリファレンス信号との相関により、セルＩＤの確認を行なっている。また、この段階で確認されたＲＳは以降のデータ復調に用いられることになる。
【００５３】
次に、移動局は、基地局からの報知情報を取得する。報知情報に含まれる情報としては、ＳＦＮの他に、システム帯域幅情報、送信アンテナ数情報、ＦＤＤ／ＴＤＤ識別情報などが含まれる。報知情報は、基地局とのデータ通信以前に必ず取得する必要がある情報であるという特徴から、定期的に、かつ、セル全体での受信が可能であるような変調方式で送信する必要がある。このことは報知情報が低い変調方式で送信されることを意味し、よって少ない情報でも比較的大きな物理的リソースが必要である。このため、一定間隔で送信され、かつ、変調方式を高く設定できない報知情報に使用されるリソースをなるべく少なくしたい、つまりは情報量をなるべく少なくしたいという要望がある。
【００５４】
そこで、本発明では、セルサーチに使用されるＳＣＨによってＳＦＮ情報もしくはその一部の情報を通知し、ＢＣＨによるリソースの消費を低減することを可能とする。以下、本発明の実施形態について、図面を参照して説明する。
【００５５】
（第１の実施形態）
本明細書では前述したＬＴＥ規格の通信方式に基づいた実施形態を説明する。そのため、前述したフレーム構成（図１）およびリソースブロック構成（図３）と同じ構成を前提とした説明を行なう。ただし、本発明はこれに限定されるものではない。また、セルサーチ方法に関しても前述したＬＴＥでの方法を前提として説明を行なうが、必ずしも同一のセルサーチ方法である必要はない。
【００５６】
第１の実施形態ではセルサーチ時に使用されるＳＣＨが多重されているリソースブロックに配置されたＰ−ＳＣＨを用いて移動局にＳＦＮを通知する。
【００５７】
以下、移動局にＳＦＮを通知するためのＰ−ＳＣＨの構造の一例を示す。図４は、第１の実施形態に係るＳＦＮ情報を通知するためのＰ−ＳＣＨの基準構造を示す図である。図４では、ＳＣＨが多重されたサブフレーム区間に周波数方向に６つの周波数リソースブロック（ＲＢ）を配置した図を示したものである。前述したＳＣＨを含むリソースブロック（図３（ｂ））と同様のＲＳ配置になっている。第１の実施形態では図３（ｂ）に示した本来のＳＣＨに、さらにＳＦＮ通知のためのＰ−ＳＣＨを符号多重（ＣＤＭ）することによって、Ｐ−ＳＣＨと同じリソースを使用してＳＦＮ情報を移動局に通知する。
【００５８】
図５は、図４に示したサブフレーム内のＰ−ＳＣＨの詳細を示した図である。前述したように、Ｐ−ＳＣＨは本来セルサーチにおいて時間方向の波形を観測することによってシンボル同期などに使用される。そのため、同一シンボル区間で偶数番目のサブキャリアを使用することによって、時間方向の信号波形について、２回同じ波形が繰り返す構造とすることが考慮されている。本実施形態においても同様の時間波形特性を維持するために従来のＰ−ＳＣＨと同じサブキャリアを使用し、Ｐ−ＳＣＨシンボル区間で繰り返し波形が現れるような構造となっている。
【００５９】
Ｐ−ＳＣＨは、セクタ固有の符号で構成されており、本発明が前提とする３セクタのセルで構成されるマルチセル環境では３種類のＰ−ＳＣＨとなる。この３種類のＰ−ＳＣＨに加え、さらに１種類のＰ−ＳＣＨを追加することによってＳＦＮを通知する。具体的には、図６に示したように、システムフレーム周期の最後のフレームにＳＦＮ通知用のＰ−ＳＣＨを多重し、その信号の有無でシステムフレームの境界を示す情報を通知する。本実施形態ではフレームの第１と第６サブフレームにＳＣＨの多重されるサブフレームが設定されており、これらにＳＦＮ通知用のＰ−ＳＣＨを多重することになる。本発明の方法以外に第６サブフレームのみにＳＦＮ通知用のＰ−ＳＣＨを多重する方法も考えられる。いずれの場合にも、フレーム内のどのサブフレームにＳＦＮ通知用Ｐ−ＳＣＨが多重されているかを移動局は知っているものとする。
【００６０】
前者の場合、すなわち、フレームの第１と第６サブフレームにＳＣＨの多重されるサブフレームが設定される場合、サブフレームが２つあるので時間ダイバーシチの効果によって検出誤りを減らすことが可能である。一方、後者の場合、すなわち、フレームの第６サブフレームのみにＳＦＮ通知用のＰ−ＳＣＨを多重する場合には、多重されるサブフレームが一つであることから、受信側は単一のサブフレームのみの処理を行なえば良いし、また、従来のＰ−ＳＣＨを検出する必要がある移動局にとってはＳＦＮ通知用のＰ−ＳＣＨが少ないほうがそれによる干渉信号が少なくなるメリットがある。
【００６１】
ＳＦＮ通知用のＰ−ＳＣＨに使用する符号系列は従来のＰ−ＳＣＨに使用される符号特性に依存し、相関特性の良い符号系列であることが望ましく、かつ、ＰＡＰＲ（ピーク対平均電力比：Ｐｅａｋ  ｔｏ  Ａｖｅｒａｇｅ  Ｐｏｗｅｒ  Ｒａｔｉｏ）特性が良いものが適している。例えば、Ｚａｄｏｆｆ‐ＣｈｕシーケンスやＧｏｌａｙ符号などを使用しても良いし、上記の特性を考慮した単純なバイナリシーケンスを使用することも可能である。
【００６２】
移動局は、予め定義されたＳＦＮ通知用のＰ−ＳＣＨが多重されたサブフレームであることを検出すると、そのフレームをシステムフレーム番号の最後だと認識することができる。
【００６３】
（基地局と移動局の構成）
次に、本実施形態における基地局装置および移動局装置の一例を示す。図７は、移動体通信システムの基地局（無線制御装置、マルチキャリア送信装置）における、物理レイヤおよびＭＡＣ（Ｍｅｄｉａ  Ａｃｃｅｓｓ  Ｃｏｎｔｒｏｌ）サブレイヤの構成例を示すブロック図である。
【００６４】
図示されるように、基地局は、論理チャネルと物理チャネルのマッピング、スケジューリング処理、物理層部の制御を行ない、上位層から入力されたデータを物理層部へ出力する一方、物理層部から入力されたデータを上位層へ出力するＭＡＣ部１１と、このＭＡＣ部１１より入力された伝送データの無線送信信号への変換および、アンテナ部で受信した無線受信信号の伝送データへの変換をＭＡＣ部１１からの制御情報に基づき行なう物理層部１２と、を備える。本実施形態にて説明を行なう基地局は図２に示した３セクタのセル構成に対応した基地局装置であるため、３つの物理層部から構成される基地局になっている。
【００６５】
ＭＡＣ部１１は、上位層より通知されるフレームの各リソースブロックの割り当て情報に基づき送信回路部を制御する送信回路制御部１１１と、各リソースブロックのデータチャネル、リファレンス信号などの物理チャネルのデータをスケジューリングされたタイミングに合わせ送信回路部に入力する送信データ出力部１１２と、を備える。
【００６６】
物理層部１２は、ＭＡＣ部１１より入力されたデータチャネルに対して変調を施し、リファレンス信号、およびサブフレームによってはＳＣＨと共にリソースブロックに多重した後、アナログ回路部に入力する送信回路部１２１と、アナログ回路部からの出力を復調してＭＡＣ部１１に入力する受信回路部１２２と、送信回路部１２１から入力される送信信号を無線周波数に変換し、アンテナ部より受信された受信信号を受信回路部で処理できる周波数帯に変換するアナログ回路部１２３と、アナログ回路部１２３より入力された送信信号を無線空間に送信し、無線空間中の信号を受信するアンテナ部１２４と、を備える。
【００６７】
次に、送信回路部１２１の具体的な内部構成について説明する。図８は、図７に示される送信回路部１２１の具体的な構成の一例を示すブロック図である。送信回路部１２１は、ＭＡＣ部１１より入力されたデータチャネルの符号化および変調を行なうと共に、データチャネル、リファレンス信号、ＳＣＨを割り当て部１２１４にてＭＡＣ部１１からの制御信号に基づき、リソースブロックに多重し送信を行なう。
【００６８】
図８の送信回路部１２１は、ＭＡＣ部１１より入力されたデータチャネルをリソースブロック毎に送信データの信号処理を行なう信号処理部１２１１と、ＭＡＣ部１１からの制御情報に基づきＳＣＨデータの生成を行なうＳＣＨ信号生成部１２１２と、同じくＭＡＣ部１１からの制御信号に基づきリファレンス信号の生成を行なうリファレンス信号生成部１２１３と、同じくＭＡＣ部１１からの制御信号に基づきＳＦＮ情報を通知するための信号を生成するＳＦＮ通知信号生成部１２３０とを備える。
【００６９】
また、信号処理部１２１１からの出力信号、ＳＣＨ信号生成部１２１２からの出力信号、リファレンス信号生成部１２１３からの出力信号、およびＳＦＮ通知信号生成部１２３０からの出力信号を、リソースブロックの各サブキャリアに割り当てる割り当て部１２１４と、割り当てられた周波数領域のデータ信号列を時間波形に変換するＩＦＦＴ（Ｉｎｖｅｒｓｅ  Ｆａｓｔ  Ｆｏｕｒｉｅｒ  Ｔｒａｎｓｆｏｒｍ）部１２１５と、ＩＦＦＴ部１２１５の出力を並列直列変換するＰ／Ｓ変換部１２１６と、Ｐ／Ｓ変換部１２１６の出力に対してガードインターバルを付加するＧＩ付加部１２１７と、ＧＩ付加部１２１７の出力信号をデジタル信号からアナログ信号に変換するＤ／Ａ変換部１２１８と、を備える。
【００７０】
割り当て部１２１４では、ＭＡＣ部１１からの制御情報に基づき処理を行ない、割り当て部１２１４では各物理チャネルを所望のサブキャリアに割り当てる。
【００７１】
また、信号処理部１２１１は、送信データの誤り訂正符号化を行なう誤り訂正符号化部１２１９と、誤り訂正符号化部１２１９の出力を並列直列変換するＳ／Ｐ変換部１２２０と、Ｓ／Ｐ変換部１２２０の出力に対し、ＢＰＳＫ、ＱＰＳＫ、１６ＱＡＭなどの変調処理を行なう変調部１２２１と、により構成される。
【００７２】
信号処理部１２１１の出力は、ＭＡＣ部１１の送信回路制御部１１１（図７参照）より通知される制御情報に基づき適切なサブキャリアに割り当てる割り当て部１２１４において、適切なサブキャリアに割り当てられた後、ＩＦＦＴ部１２１５に出力される。ＳＣＨ信号生成部１２１２、リファレンス信号生成部１２１３、およびＳＦＮ通知信号生成部１２３０では、送信機会毎にデータの生成を行なうことも可能であるし、また、一度生成したデータを記憶して使用することも可能である。
【００７３】
Ｄ／Ａ変換部１２１８の出力は、無線周波数への周波数変換を行なうアナログ回路部１２３（図７参照）経て、アンテナ部１２４（図７のアンテナ部）から空中に、無線信号として送信される。
【００７４】
以上のように、複数のセクタを制御する基地局装置の送信機では、各リソースブロックの適切な位置にＳＣＨ信号とリファレンス信号をデータＣＨと共に多重し、それぞれのセクタに対応するアンテナから送信することによってＰ−ＳＣＨにＳＦＮ通知用のＰ−ＳＣＨが多重されているかどうかを判断する。これにより、移動局が基地局と接続を行なう際に取得するＳＦＮを移動局に通知することが可能になる。
【００７５】
次に、移動局の構成について説明する。図９は、本発明の移動局（通信端末装置、携帯電話端末、ＰＤＡ端末、携帯可能なパーソナルコンピュータを含む）の構成の一例を示すブロック図である。
【００７６】
図示されるように、移動局は、アンテナ部２１と、アナログ受信回路部２２と、Ａ／Ｄ変換部２３と、タイミング検出部２４と、ＧＩ（ガードインターバル）除去部２５と、Ｓ／Ｐ（直列／並列）変換部２６と、ＦＦＴ部２７と、サブキャリア補償部２８と、復調部２９と、誤り訂正復号化部３０と、初期同期部３１と、を備える。
【００７７】
初期同期部３１は、ＳＣＨ信号処理部３２と、リファレンス信号処理部３３と、ＳＦＮ通知信号処理部３４を備える。
【００７８】
以上のように構成された移動局は、次のように動作する。すなわち、信号との時間的同期を行なうため、基地局から送信された無線信号をアンテナ部２１にて受信し、受信した無線信号を無線周波数帯からベースバンド周波数帯にアナログ受信回路部２２で変換する。このベースバンド周波数帯に変換された信号を、Ａ／Ｄ（アナログ／デジタル）変換部２３でアナログ信号からデジタル信号（デジタルデータ）に変換する。デジタルデータに変換された信号に対し、シンボル同期を行なうためタイミング検出部２４でＳＣＨ検出処理を施す。
【００７９】
タイミング検出部２４では、Ａ／Ｄ変換部２３から入力された時間方向の信号に対し、ＳＣＨの時間波形が観測されるかどうかを検出する。検出されたタイミングはシンボルタイミングおよびＳＣＨの含まれるサブフレームのタイミングとして使用できる。
【００８０】
次に、タイミング情報は、ＧＩ除去部２５と初期同期部３１に入力され、ＧＩ除去部２５では、タイミング検出部２４からの情報に従いＧＩが除去される。ＧＩを除去されたシンボルはＳ／Ｐ（直列／並列）変換部２６で直列信号から並列信号に変換され、ＦＦＴ部２７にてＦＦＴ処理を施される。ＦＦＴ部２７からは、ＳＣＨデータを処理する初期同期部３１へＳＣＨデータが入力される。
【００８１】
初期同期部３１では、ＦＦＴ部２７から入力されたＳＣＨデータを使用し、セルＩＤグループとセクタＩＤの検出が行なわれ、それらを組み合わせたセルＩＤの検出が行なわれる。セルＩＤを検出した移動局は、その後、ＳＦＮの取得を行なうが、ＳＦＮ情報取得以前（すなわち、ＳＦＮ情報に依存せずに行なうことができる）処理を行なうことも可能である。
【００８２】
以上のようにして検出されたＳＦＮはＭＡＣ部へ送られる。ＭＡＣ部ではこの情報に従い基地局との通信を行なうことができる。
【００８３】
次に、移動局がＳＦＮ情報を取得する動作について、図１０に示すフローチャートを参照して説明する。第１に、移動局は、前述した３段セルサーチの第１段階である時間同期を行なう（Ｓ１０１）。時間同期、すなわちシンボル同期とサブフレーム同期には、Ｐ−ＳＣＨの時間方向の信号を用いて行なわれる。検出には、図５に示したようなＰ−ＳＣＨ構造によって形成されるＰ−ＳＣＨシンボル内での繰り返し波形を用いる自己相関方法と移動局内で生成されたＰ−ＳＣＨ信号そのもののレプリカ信号との相関検出による相互相関検出方法を用いることができる。本実施形態では３つのセクタにより構成されるセル環境であるため、ＳＦＮ通知用のＰ−ＳＣＨに加え３種類のＰ−ＳＣＨ信号が使用されることになる。
【００８４】
シンボル同期を行なった移動局はＰ−ＳＣＨシンボル区間とＳ−ＳＣＨシンボル区間のＦＦＴ処理を行ない、周波数方向の信号として処理を行なう。ステップＳ１０１で最も相互相関値が高く検出されたセクタのＰ−ＳＣＨ信号を最適なセクタとして判定し、セクタ番号の決定を行なうか、もしくは周波数方向の信号となったＰ−ＳＣＨ信号に対して３つのセクタに対応したＰ−ＳＣＨの周波数方向の符号の相関値を算出し、最も高い相関値であったＰ−ＳＣＨ符号に対応するセクタを最適なセクタとして判定する（Ｓ１０２）。
【００８５】
次に、ステップＳ１０２で判定されたセクタに対応するＰ−ＳＣＨ信号を基準信号としてＳ−ＳＣＨ符号の検出を行なう。Ｓ−ＳＣＨ信号にはセルＩＤグループの他にセルサーチに必要な情報を含めることも可能である（Ｓ１０３）。以上のようにして、最適セクタとセルＩＤグループを検出し、その組み合わせからセルＩＤが決定される（Ｓ１０４）。次に、ＳＦＮの取得を行なう。ＳＦＮの取得には前述のＰ−ＳＣＨの検出方法と同様にＳＮＦ通知用に予め決められた信号のレプリカ信号と受信信号の相互相関値を検出することにより行なう。その他、サブフレームに多重されたリファレンス信号を使用して復調する方法でも良い。ＳＦＮ通知用信号はＰ−ＳＣＨと同じリソースに多重されているため、本実施形態ではフレーム内で２回処理を行なう（Ｓ１０５）。
【００８６】
本実施形態では、図５に示したように従来のＰ−ＳＣＨとＳＦＮ通知用信号をＣＤＭした実施形態を示したが、図１１に示したように、従来のＰ−ＳＣＨを配置せずにＳＦＮ通知用の信号のみを配置する方法でも実施可能である。この場合にはＦＦＴ後に従来Ｐ−ＳＣＨ信号とＳＦＮ通知用信号の干渉が起こらず、基地局の送信電力を全てＳＦＮ通知用のＰ−ＳＣＨに使用できるというメリットがある。
【００８７】
このように、本実施形態では、Ｐ−ＳＣＨ信号に、セクタ固有の符号を使用すると共に、その信号割り当てリソースと同じリソースを使用し、システムフレーム番号の通知を行なうことができる。従って、ＯＦＤＭダウンリンク通信システムにおいて報知情報でＳＦＮ番号を通知する必要がなく、ＢＣＨの負担が低減される、また、ＯＦＤＭ受信装置では、セクタＩＤの同定とセルＩＤグループ情報を取得するための信号であるＳＣＨによりＳＦＮ番号を容易に検出することが可能になる。
【００８８】
また、本発明は、種々のバリエーション（具体例、変形例、応用例）を含んでおり、これらのバリエーションは、ＬＴＥ（Ｌｏｎｇ  Ｔｅｒｍ  Ｅｖｏｌｕｔｉｏｎ）に準拠した通信方式の実用化に貢献する。
【００８９】
（第２の実施形態）
本実施形態では第１の実施形態でＰ−ＳＣＨと同じリソースを使用していたＳＦＮ通知用の信号をＳ−ＳＣＨのリソースを使用する。
【００９０】
本実施形態でも前述したＬＴＥ規格の通信方式に基づいた実施形態を説明する。よって、前述したフレーム構成（図１）およびリソースブロック構成（図３）と同じ構成を前提とした説明を行なう。ただし、本実施形態でもこれに限定して適応できるものではない。本発明では、セルサーチ時に使用されるＳＣＨが多重されているリソースブロックに配置されたＳ−ＳＣＨを用いて移動局にＳＦＮを通知する。以下に移動局にＳＦＮを通知するためのＳ−ＳＣＨの構造の一例を示す。
【００９１】
Ｓ−ＳＣＨの基本的な構造は第１の実施形態で示した図４と同様である。図１２は、サブフレーム内のＳ−ＳＣＨの構成の詳細を示す図である。ＳＦＮ通知用の信号は、従来のＳ−ＳＣＨと同じリソースにＣＤＭされる。移動局はシンボル同期を行なった後、ＳＦＮ通知用信号のシンボル区間をＦＦＴ処理し、ＳＦＮ信号があるかどうかを検出することによってＳＦＮを取得する。Ｓ−ＳＣＨは、セルＩＤグループとセルサーチ時に必要な情報を通知するため、数百種類の符号が設定される（例えば前述のＬＴＥでは１７０種類のセルＩＤグループが設定される）。一般的に、Ｓ−ＳＣＨで設定される符号系列は相関特性が良い符号が望ましい。よって、Ｓ−ＳＣＨと同じリソースブロックに多重されるＳＦＮ通知用の信号もそれらの符号系列と相関特性が良いものが適している。例えば、Ｚａｄｏｆｆ‐ＣｈｕシーケンスやＧｏｌａｙ符号などを使用することができる。
【００９２】
ＳＦＮ通知用の信号を、例えば図６に示したようにシステムフレーム周期の最後のサブフレームに多重し、それが予め移動局に既知であれば、移動局はＳＦＮ通知用のＳ−ＳＣＨが多重されたサブフレームであることを検出すると、そのフレームを最後のシステムフレーム番号が割り当てられたフレームだと認識することができる。
【００９３】
次に、本実施形態における基地局装置および移動局装置の一例を示す。基本的構成はそれぞれ第１の実施形態の図７および図８で示した基地局装置と、図９で示した移動局装置と同様の構成である。しかしながら、第１の実施形態とＳＦＮ通知用信号が多重される位置が異なるため、その処理手順が多少異なる。以下、基地局装置および移動局装置の説明を第１の実施形態で示した図７および図８と図９とを用いて行なう。ただし、第１の実施形態と同一の処理である場合には、省略する。
【００９４】
（基地局と移動局の構成）
上述したように、図７は、移動体通信システムの基地局（無線制御装置、マルチキャリア送信装置）における、物理レイヤおよびＭＡＣ（Ｍｅｄｉａ  Ａｃｃｅｓｓ  Ｃｏｎｔｒｏｌ）サブレイヤの構成例を示すブロック図である。また、図８は、図７に示される送信回路部の具体的な構成の一例を示すブロック図である。本実施形態において、図７および図８における機能の差異は、図８のＳＦＮ通知信号生成部および割り当て部での動作、またそれを制御するための信号である。
【００９５】
特に、図８の送信回路部１２１では、ＭＡＣ部１１からの制御信号に基づきＳＦＮ情報を通知するための信号が生成されるＳＦＮ通知信号生成部１２３０、および、信号処理部１２１１からの出力信号とＳＣＨ信号生成部１２１２からの出力信号とリファレンス信号生成部１２１３からの出力信号とＳＦＮ通知信号生成部１２３０からの出力信号を、リソースブロックの各サブキャリアに割り当てる割り当て部１２１４が第１の実施形態と異なる動作を行なう。
【００９６】
割り当て部１２１４では、ＭＡＣ部１１からの制御情報に基づき処理を行ない、ＳＦＮ通知信号生成部１２３０からの信号をＳ−ＳＣＨと同一のリソースにＣＤＭとなるように割り当てられる。ＳＦＮ通知信号生成部１２３０では、送信機会毎にデータの生成を行なうことも可能であるし、また、一度生成したデータを記憶して使用することも可能である。
【００９７】
以上のように複数のセクタを制御する基地局装置の送信機では、各リソースブロックの適切な位置にＳＣＨ信号とリファレンス信号をデータＣＨと共に多重し、それぞれのセクタに対応するアンテナから送信する。移動局は、Ｓ−ＳＣＨにＳＦＮ通知用のＳ−ＳＣＨが多重されているかどうかを判断することによって、基地局と接続を行なう際に必要なＳＦＮを取得することが可能になる。
【００９８】
次に、移動局の構成について説明する。移動局も同様に差異の有る部分のみを記載する。上述したように、図９は、本実施形態の移動局（通信端末装置、携帯電話端末、ＰＤＡ端末、携帯可能なパーソナルコンピュータを含む）の構成の一例を示すブロック図である。本実施形態では、特に、初期同期部３１を構成するＳＦＮ通知信号処理部３４の動作およびそれを制御する制御情報などが異なる。
【００９９】
移動局は、第１の実施形態と同様に、図１０に示したフローチャートに従って、ＳＦＮ情報を取得するが、ＳＦＮ通知信号検出（Ｓ１０５）において、前述の動作と異なる。ＳＦＮ通知信号検出はＳ−ＳＣＨの検出方法を行なうようにＳＮＦ通知用に予め決められた信号のレプリカ信号と受信信号の相互相関値を検出することにより行なう。Ｓ−ＳＣＨ符号系列の検出は、セクタ判定を行なったＰ−ＳＣＨを基準信号として使用することが可能である。その他、サブフレームに多重されたリファレンス信号を使用して復調する方法でも良い（Ｓ１０５）。
【０１００】
本実施形態では図１２に示したように、従来のＳ−ＳＣＨとＳＦＮ通知用信号をＣＤＭした実施形態を示したが、図１３に示したように、従来のＳ−ＳＣＨを配置せずにＳＦＮ通知用の信号のみを配置する方法でも実施可能である。この場合にはＦＦＴ後に従来Ｓ−ＳＣＨ信号とＳＦＮ通知用信号の干渉が起こらないというメリットがある。
【０１０１】
移動局は、セルＩＤグループの検出と同時に、ＳＦＮの取得処理を行なうことが可能であるが、セルＩＤの検出が終了した場合にはＳＦＮが不要な通信ならば基地局と行なうことも可能である。
【０１０２】
以上のようにして検出されたＳＦＮはＭＡＣ部１１へ送られる。ＭＡＣ部１１では、この情報に従い基地局との通信を行なうことができる。
【０１０３】
このように、第２の実施形態では、Ｓ−ＳＣＨ信号に、セルＩＤグループを通知するための符号を使用すると共に、その信号割り当てリソースと同じリソースを使用し、システムフレーム番号の通知を行なうことができる。従って、ＯＦＤＭダウンリンク通信システムにおいて報知情報でＳＦＮ番号を通知する必要がなく、ＢＣＨの負担が低減される、また、ＯＦＤＭ受信装置では、セクタＩＤの同定とセルＩＤグループ情報を取得するための信号であるＳＣＨによりＳＦＮ番号を容易に検出することが可能になる。
【０１０４】
また、本発明は、種々のバリエーション（具体例、変形例、応用例）を含んでおり、これらのバリエーションは、ＬＴＥ（Ｌｏｎｇ  Ｔｅｒｍ  Ｅｖｏｌｕｔｉｏｎ）に準拠した通信方式の実用化に貢献する。
【図面の簡単な説明】
【０１０５】
【図１】本発明で使用されるマルチキャリア通信システムのダウンリンクのフレーム構成を示す図である。
【図２】セルおよびセクタの構成の一例を示す図である。
【図３】（ａ）は、フレームにおける同期チャネル（ＳＣＨ）の配置位置の一例を示す図である。（ｂ）は、各リソースブロックにおけるＰ−ＳＣＨ、Ｓ−ＳＣＨおよびリファレンス信号（ＲＳ）の配置を示す図である。
【図４】第１の実施形態に係るＳＦＮ情報を通知するためのＰ−ＳＣＨの基準構造を示す図である。
【図５】図４に示したサブフレーム内のＰ−ＳＣＨの詳細を示した図である。
【図６】連続したフレームを示す図である。
【図７】移動体通信システムの基地局（無線制御装置）における、物理レイヤおよびＭＡＣ（Ｍｅｄｉａ  Ａｃｃｅｓｓ  Ｃｏｎｔｒｏｌ）サブレイヤの構成例を示すブロック図である。
【図８】図７に示される送信回路部の具体的な構成の一例を示すブロック図である。
【図９】本発明の移動局（通信端末装置、携帯電話端末、ＰＤＡ端末、携帯可能なパーソナルコンピュータを含む）の構成の一例を示すブロック図である。
【図１０】移動局が、ＳＦＮ情報を取得する動作を示すフローチャートである。
【図１１】Ｐ−ＳＣＨシンボル区間にＳＦＮ通知用の信号のみを配置した様子を示す図である。
【図１２】Ｓ−ＳＣＨシンボル区間に、従来のＳ−ＳＣＨおよびＳＦＮ通知用の信号を配置した様子を示す図である。
【図１３】Ｓ−ＳＣＨシンボル区間にＳＦＮ通知用の信号のみを配置した様子を示す図である。
【符号の説明】
【０１０６】
１１  ＭＡＣ部
１２  物理層部
２１  アンテナ部
２２  アナログ受信回路部
２３  Ａ／Ｄ変換部
２４  タイミング検出部
２５  ＧＩ除去部
２６  Ｓ／Ｐ変換部
２７  ＦＦＴ部
２８  サブキャリア補償部
２９  復調部
３０  誤り訂正復号化部
３１  初期同期部
３２  ＳＣＨ信号処理部
３３  リファレンス信号処理部
３４  ＳＦＮ通知信号処理部
１１１  送信回路制御部
１１２  送信データ出力部
１２１  送信回路部
１２２  受信回路部
１２３  アナログ回路部
１２４  アンテナ部
１２１１  信号処理部
１２１２  ＳＣＨ信号生成部
１２１３  リファレンス信号生成部
１２１４  割り当て部
１２１５  ＩＦＦＴ部
１２１６  Ｐ／Ｓ変換部
１２１７  ＧＩ付加部
１２１８  Ｄ／Ａ変換部
１２１９  誤り訂正符号化部
１２２０  Ｓ／Ｐ変換部
１２２１  変調部
１２３０  ＳＦＮ通知信号生成部
【図１】
2009005060.tif 000003
【図２】
2009005060.tif 000004
【図３】
2009005060.tif 000005
【図４】
2009005060.tif 000006
【図５】
2009005060.tif 000007
【図６】
2009005060.tif 000008
【図７】
2009005060.tif 000009
【図８】
2009005060.tif 000010
【図９】
2009005060.tif 000011
【図１０】
2009005060.tif 000012
【図１１】
2009005060.tif 000013
【図１２】
2009005060.tif 000014
【図１３】
2009005060.tif 000015